(57)【特許請求の範囲】
【請求項１】
内部容積と、前面と、前面に実質的に垂直な側面と、を備えるエンクロージャ（５０２）、
エンクロージャ（５０２）の内部に取り付けられ、音声を発生させるために軸線に沿って移動可能なスピーカ（５０８、６０２）、ここで、スピーカ（５０８、６０２）の振動板（６０２）は内部容積を第１の内部容積と第２の内部容積とに分割し、振動版の前部及び後部は第１の内部容積と第２の内部容積の一部を形成する、
第１の内部容積とエンクロージャ（５０２）の前面との間に気流を提供し、軸線に実質的に垂直な第１の方向に気流を向けるように構成された第１のスピーカベント（５１０Ａ）、
第１の内部容積とエンクロージャ（５０２）の側面との間に気流を提供し、軸線に実質的に垂直な第２の方向に気流を向けるように構成された第２のスピーカベント（５１０Ｂ）、
を備え、
第２のスピーカベント（５１０Ｂ）は、第１のスピーカベント（５１０Ａ）より小さな断面を有し、第２のスピーカベント（５１０Ｂ）は、第１のスピーカベント（５１０Ａ）より高速の気流を提供し、
第１のスピーカベント（５１０Ａ）が気流を向ける第１の方向は、予想聴取者位置に対応し、
第２のスピーカベント（５１０Ｂ）が気流を向ける第２の方向は、予想聴取者位置から離れる方向である、
再生デバイス。
【請求項２】
更に、
第２の内部容積をエンクロージャ（５０２）の外部に結合するように構成されるスピーカポートを備える、
請求項１に記載の再生デバイス。
【請求項３】
スピーカが音声を発生させるために移動する軸線は垂直であり、
第１の方向及び第２の方向は、水平である、
請求項１又は２に記載の再生デバイス。
【請求項４】
更に、
第１のスピーカベント（５１０Ａ）とエンクロージャ（５０２）の外部との間及び第２のスピーカベント（５１０Ｂ）とエンクロージャ（５０２）の外部との間に設けられたグリル（５１４）、
を備える、請求項１〜３のいずれか一項に記載の再生デバイス。
【請求項５】
第１のスピーカベント（５１０Ａ）とエンクロージャ（５０２）の外部との間に設けられたグリル（５１４）の第１の部分は、エンクロージャ（５０２）の前面に第１の穿孔を備え、
第２のスピーカベント（５１０Ｂ）とエンクロージャ（５０２）の外部との間に設けられたグリル（５１４）の第２の部分は、エンクロージャ（５０２）の側面に第２の穿孔を備え、
第２の穿孔は、第１の穿孔よりも大きく、グリル（５１４）の第２の部分は、気流に対する抵抗がスピーカグリル（５１４）の第１の部分より小さい、
請求項４に記載の再生デバイス。
【請求項６】
第１のスピーカベント（５１０Ａ）及び第２のスピーカベント（５１０Ｂ）は、スピーカ（５０８、６０２）の動作波長よりも短い距離だけ離れている、
請求項１〜５のいずれか一項に記載の再生デバイス。
【請求項７】
第１の方向及び第２の方向は、９０°乃至１８０°の範囲内で互いに相対角度をなす、請求項１〜６のいずれか一項に記載の再生デバイス。
【請求項８】
スピーカ（５０８、６０２）は、少なくとも低音周波数帯域で動作するように構成されたウーハである、
請求項１〜７のいずれか一項に記載の再生デバイス。
【請求項９】
再生デバイスは、エンクロージャの前面に沿って外側を向いた１つ又は複数のオーディオドライバを備え、
１つ又は複数のオーディオドライバは、
少なくとも２０００乃至２００００Ｈｚの周波数帯域で動作する１つ又は複数のツイータ（５０６）、
約２５０乃至２０００Ｈｚの周波数帯域で動作する１つ又は複数のミッドレンジオーディオドライバ（５０４Ａ−５０４Ｄ）、
のうち少なくとも１つを含む、
請求項１〜８のいずれか一項に記載の再生デバイス。
【請求項１０】
ポート（５１２）は、スピーカ（５０８、６０２）の低音応答を増加させるように構成された１つ又は複数の特定の周波数で共振するように調整される、
請求項９に記載の再生デバイス。
【請求項１１】
更に、
取り付けブラケット（７００）を備え、
取り付けブラケット（７００）は、
スピーカ（５０８、６０２）を保持するように構成された開口部（７０２）、
第１のスピーカベント及び第２のスピーカベント（５１０Ａ、５１０Ｂ）をそれぞれ少なくとも部分的に形成するように構成された第１の部分及び第２の部分（７０４Ａ、７０４Ｂ）、
を有する、
請求項１〜１０のいずれか一項に記載の再生デバイス。
【請求項１２】
再生デバイスは、テレビ又は他の表示デバイスと組み合わせて、そのデバイスに音声出力を提供するように構成されたサウンドベースである、
請求項１〜１１のいずれか一項に記載の再生デバイス。
【請求項１３】
再生デバイスは、テレビ又は他の表示デバイスを支持するように構成された上面を有する、
請求項１２に記載の再生デバイス。
【発明の詳細な説明】
【関連出願の相互参照】
【０００１】
この出願は、２０１７年１月３１日に出願された米国特許出願第１５／４２１，０４７号に基づく優先権を主張する。この出願の内容は、その全体が参照により本明細書に組み込まれる。
【技術分野】
【０００２】
本願は、コンシューマ製品に関するものであり、特に、メディア再生に向けられた方法、システム、製品、機能、サービス、および他の要素に関するものや、それらのいくつかの態様に関する。
【背景技術】
【０００３】
２００３年に、ソノズ・インコーポレイテッドが最初の特許出願のうちの１つである「複数のネットワークデバイス間のオーディオ再生を同期する方法」と題する特許出願をし、２００５年にメディア再生システムの販売を開始するまで、アウトラウド設定におけるデジタルオーディオへのアクセスおよび試聴のオプションは厳しく制限されていた。人々は、ソノズ無線ＨｉＦｉシステムによって、１つ又は複数のネットワーク再生デバイスを介して多くのソースから音楽を実質的に無制限に体験できるようになっている。スマートフォン、タブレット、又はコンピュータにインストールされたソフトウェアコントロールアプリケーションを通じて、ネットワーク再生デバイスを備えたいずれの部屋においても、人々は自分が望む音楽を再生することができる。また、例えばコントローラを用いて、再生デバイスを備えた各部屋に異なる歌をストリーミングすることもできるし、同期再生のために複数の部屋をグループ化することもできるし、全ての部屋において同期して同じ歌を聞くこともできる。
【発明の概要】
【０００４】
これまでのデジタルメディアに対する関心の高まりを考えると、試聴体験を更に向上させることができるコンシューマアクセス可能な技術を更に開発することにニーズがある。
【０００５】
本明細書で開示されている技術の特徴、態様、および利点は、以下の記載、添付の特許請求の範囲、および添付の図面を参照するとより理解しやすい。
【図面の簡単な説明】
【０００６】
【図１】図１は、ある実施形態を実施することができる例示的なメディア再生システム構成を図示する。
【図２】図２は、例示的な再生デバイスの機能ブロック図を図示する。
【図３】図３は、例示的な制御デバイスの一例の機能ブロック図を図示する。
【図４】図４は、例示的なコントローラインタフェースを図示する。
【図５Ａ】図５Ａは、実施例による、再生デバイスの例の第１の図である。
【図５Ｂ】図５Ｂは、実施例による、再生デバイスの例の第２の図である。
【図５Ｃ】図５Ｃは、実施例による、再生デバイスの例の第３の図である。
【図６Ａ】図６Ａは、実施例による、オーディオドライバの例の第１の図である。
【図６Ｂ】図６Ｂは、実施例による、オーディオドライバの例の第２の図である。
【図７】図７は、実施例による、取り付けブラケットの例を示す図である。
【図８】図８は、実施例による、再生デバイスを組み立てる手法を示す図である。
【発明を実施するための形態】
【０００７】
図面は、いくつかの例示的な実施形態を説明することを目的としているが、本発明が、図面に示した配置および手段に限定されるものではないことは理解される。
【０００８】
Ｉ．概要
ウーハ等の一部のオーディオドライバは、低周波（例えば、低音）音声の再生用に設計されている。低音周波数を十分な音量で再生するために、ウーハには、ツイータ等のより高い周波数の音声を再生するように設計された他のオーディオトランスデューサと比較して、表面積が相対的に大きい振動板を有することが多い。動作中、こうしたドライバは、意図した応答（即ち、低周波出力を含む音）を生成しつつ、顕著な気流を発生させる。更に、音量が大きくなるにつれ、オーディオドライバは、より大きな気流を発生させる。オーディオドライバが発生させる気流は、「排気」と呼ばれる場合がある。
【０００９】
オーディオドライバの排気口が、スピーカグリルやベント等のマテリアルに遭遇すると、乱流が生じ得る。場合により、この乱流は、可聴ノイズを発生させ、これがトランスデューサからの音声出力を楽しむことを妨げる場合がある。そのため、場合により、ウーハ又は同様のオーディオドライバを有するスピーカ又は再生デバイスは、障害物を最小限にして（即ち、グリル又はベントが、存在するとしても、殆ど無い状態で）ウーハ（群）を予想される聴取者位置に向けることで、乱流（及び付随するノイズ）を回避するように設計される。更に、ツイータやミッドレンジドライバ等の一部の種類のオーディオドライバは、相対的に指向性を有するため、このようなドライバを予想される聴取者位置に向けることで、こうした位置から聞こえるドライバの応答を向上させ得る。
【００１０】
その結果、再生デバイス又はスピーカのオーディオドライバは、場合により、音声出力を聴取範囲（聴取者の想定位置）に向けるように、エンクロージャの前部に取り付けられる。この構成により、エンクロージャの可能な形状が制限される場合がある。特に、このような構成では、エンクロージャの前部は、少なくとも、その面に取り付けられたトランスデューサ（群）と同じ表面積を有する。例えば、直径５インチの円形オーディオドライバを有する再生デバイスは、少なくともオーディオドライバの面積と同じ大きさの前面を有する場合がある。
【００１１】
本明細書で説明する実施例には、エンクロージャ内部に取り付けられたオーディオトランスデューサ（例えば、ウーハ）が含まれる。このような構成は、トランスデューサが聴取者（群）以外の方向に向けられるため、そのスピーカのハウジングの可能な形状の幅を拡げる。例えば、トランスデューサは、その排気がハウジング内で上方及び下方の内部容積に向けられるように、ハウジング内に垂直に取り付け得る。垂直方向の場合、ハウジングは、トランスデューサの長さ又は幅よりも短くし得る（代わりに、少なくともトランスデューサの奥行きと同じ高さになる）。
【００１２】
ツイータやミッドレンジドライバと比較して、ウーハは相対的に無指向性となる。そのため、ウーハを聴取者以外の方向に向けても、聴取者に知覚される応答に対する影響は、ツイータ及びミッドレンジドライバの方向を変えるほどには大きくない。更に、ウーハは、ツイータ及びミッドレンジドライバよりも物理的に大きく、デバイスのより大きなオーディオドライバ（群）の方向を変えられることで、そのデバイスの可能な形状の幅が相対的により広くなる。
【００１３】
一部の特定の実施において、再生デバイスの例は、テレビ（例えば、フラットパネルＬＣＤ  ＨＤＴＶ）又は他の表示デバイスと組み合わせ、そのデバイスに音声出力を提供することを目的とする「サウンドベース」になり得る。サウンドベースは、そのエンクロージャの内部容積に取り付けられた１つ又は複数のトランスデューサ（例えば、ウーハ）を介して、少なくとも一部の音響出力を提供し得る。一部の実施において、他のオーディオトランスデューサ（例えば、ツイータ及び／又はミッドレンジドライバ）は、エンクロージャの外部に取り付け得る。相対的に大きなトランスデューサ（例えば、ウーハ）を内部容積内で垂直方向に取り付けることで、サウンドベースのハウジングを相対的に低背化することができる。
【００１４】
相対的な低背化に加え、サウンドベースのハウジングは、堅固な上面を有し得る。このようなハウジングは、可能な構成の中で特に、単一の中央スタンド又は表示デバイスの各縁部に向かう支持脚を有する市販のテレビと共に利用し得る。単一の中央スタンドを有する表示デバイスでは、中央スタンドは、堅固な上面に載置し、これにより支持し得る。又は、サウンドベースは、表示デバイスの各縁部近傍の支持脚により形成された表示デバイス下の空間に収容し得る。
【００１５】
しかしながら、エンクロージャ内部にオーディオドライバを取り付けると、その容積内で排気が発生する。したがって、実施例は、内部容積からハウジングの外部への気流を促進するために、内部容積からの１つ又は複数のベント、ポート、ホーンダクト、及び／又は他の開口部を含み得る。このような開口部は、以下、一般に「ベント」と呼ばれるものであり、オーディオドライバからの排気の方向を変更し得る。例えば、上述したサウンドベースの例では、使用中、ハウジングの上部と底部が、それぞれ表示デバイス又は支持面（例えばメディアコンソール）により部分的又は完全に覆い隠される場合があるため、このようなベントは、垂直に配向されたトランスデューサからの排気の方向を、ハウジングの側面外部に変更し得る。
【００１６】
このようなベントによりスピーカ排気を方向付けると、乱流及びノイズが発生する。この乱流の大きさ、及び付随するノイズの大きさは、気流速度を下げることで低減することができる。ベントの断面積を大きくすると、気流速度は低下する。しかしながら、特定の再生デバイス（例えば、サウンドベース）は、ベントの断面積の制約となる特定の形状（例えば、低背ハウジング）及び／又は他の構成要素（例えば、ツイータ）を有する場合がある。
【００１７】
ベントの総断面積を大きくするために（及びこれにより乱流によるノイズを低減するために）、各トランスデューサに複数のベントを使用し得る。例えば、サウンドベースの例では、スピーカ前部からの排気の方向をハウジングの１つ又は複数の側面の外部に変更する２つ（以上のベント）を有する、垂直に取り付けられた内部ウーハを有し得る。ポート又は他の開口部は、内部ウーハ後部からハウジング外部への気流を促進する。
【００１８】
一部の例において、２つ（以上のベント）は、スピーカ排気を２つ以上の方向に変更する。それぞれのベントを用いてスピーカ排気を２つ以上の方向に向けることにより、各方向の乱流に付随するノイズが低減される。各方向の乱流によるノイズは、その方向の気流速度に比例する。各ベントの気流速度の比を制御することにより、排気を聴取者から離れる方向に向けるために、スピーカ排気（及び付随するノイズ）の大部分を側面に向けることができる。
【００１９】
例えば、サウンドベースの例は、内部ウーハ用の第１のベントと第２のベントを有し得る。第１のベントは、小さな断面を有するが、ハウジングの側面から外側に向けられ、聴取者が再生デバイスの前にいると仮定して、高速の排気（及び乱流による関連ノイズ）を聴取者から離れる方向に向け得る。断面積が相対的に大きい第２のベントは、排気の一部をハウジングの前面から外部に方向付けし得る。この排気は、室内の予想される聴取者位置に向けられるが、この排気による気流速度は、第１のベントの存在により低減される。ベントを通過するそれぞれの気流のバランスをとることにより、各ベントは、スピーカ排気のそれぞれの部分を扱うことができ、これにより、乱流によるノイズの全体的な知覚は低減される。
【００２０】
上述したように、手法の例は、再生デバイスの内部ハウジング内に取り付けられたサウンドトランスデューサからの乱流ノイズの低減を含み得る。実施例は、第１の内部容積及び第２の内部容積を備えるエンクロージャを含み得る。本実施例は、更に、エンクロージャの内部に取り付けられたスピーカを含み得る。スピーカは、第１の内部容積と第２の内部容積とを分割する振動板を含み、スピーカは、音声を発生させるために垂直軸線に沿って移動可能である。本実施例は、更に、第１の内部容積とエンクロージャの外部との間に気流を提供する第１のスピーカベントと、第１の内部容積とエンクロージャの外部との間に気流を提供する第２のスピーカベントと、を含み得る。第１のスピーカベントは、第１の水平方向に気流を向け、第２のスピーカベントは、第２の水平方向に気流を向ける。
【００２１】
他の実施例は、第１の内部容積及び第２の内部容積を備えるエンクロージャを含み得る。本実施例は、更に、エンクロージャの内部に取り付けられたスピーカを含み得る。スピーカは、第１の内部容積と第２の内部容積とを分割する振動板を含み、スピーカは、音声を発生させるために軸線に沿って移動可能である。本実施例は、更に、第１の内部容積とエンクロージャの外部との間に気流を提供する第１のスピーカベントと、第１の内部容積とエンクロージャの外部との間に気流を提供する第２のスピーカベントと、を含む。第１のスピーカベントは、軸線に実質的に垂直な第１の方向に気流を向け、第２のスピーカベントは、軸線に実質的に垂直な第２の方向に気流を向ける。
【００２２】
他の実施例は、第１の内部容積と第２の内部容積とを備えるエンクロージャを提供することを含み得る。本実施例は、更に、スピーカをエンクロージャの内部に取り付けることを含む。スピーカは、第１の内部容積と第２の内部容積とを分割する振動板を含み、スピーカは、音声を発生させるために軸線に沿って移動可能である。本実施例は、更に、第１の内部容積とエンクロージャの外部との間に気流を提供する第１のスピーカベントと、第１の内部容積とエンクロージャの外部との間に気流を提供する第２のスピーカベントとを形成することを含み得る。第１のスピーカベントは、軸線に実質的に垂直な第１の方向に気流を導き、第２のスピーカベントは、軸線に実質的に垂直な第２の方向に気流を向ける。
【００２３】
これらの実施例のそれぞれは、特に、再生デバイス又はその機能、再生デバイス又はその機能を組み立てる方法、又は実施例を実行するように構成されたデバイスのシステムとして実現し得る。本開示が、本明細書に記載の特徴例の組み合わせを含む他の多数の実施形態を含むことは、当業者に理解されよう。更に、手法を例示するために特定のデバイスにより実行されるものとして記載された任意の動作例は、本明細書に記載の装置を含む任意の適切なデバイスにより実行され得る。更にまた、任意のデバイスは、他のデバイスに、本明細書に記載の動作の何れかを実行させ得る。
【００２４】
本明細書に記載された一部の例は、「ユーザ」、「聴取者」、及び／又は他の実体等、所定の主体の存在、及び／又はそれにより実行される機能を示す場合があるが、この記載は、説明の目的のみを有することを理解されたい。特許請求の範囲自体に明示的に必要であることが記載されていない限り、こうした任意の主体による行動又はその存在が必要であると解釈されるべきではない。
【００２５】
ＩＩ．動作環境の例
図１は、本明細書で開示されている１つ又は複数の実施形態で実施可能又は実装可能なメディア再生システム１００の例示的な構成を示す。図示されるように、メディア再生システム１００は、複数の部屋および空間、例えば、主寝室、オフィス、ダイニングルーム、およびリビングルームを有する例示的なホーム環境に関連付けられている。図１の例に示されるように、メディア再生システム１００は、再生デバイス１０２，１０４，１０６，１０８，１１０，１１２，１１４，１１６，１１８，１２０，１２２、１２４、制御デバイス１２６および１２８、有線又は無線のネットワークルータ１３０を含む。
【００２６】
更に、例示的なメディア再生システム１００の異なる構成要素、および異なる構成要素がどのように作用してユーザにメディア体験を提供するかに関しての説明は、以下のセクションで述べられている。本明細書における説明は、概してメディア再生システム１００を参照しているが、本明細書で述べられている技術は、図１に示されるホーム環境の用途に限定されるものではない。例えば、本明細書で述べられている技術は、マルチゾーンオーディオが望まれる環境、例えば、レストラン、モール、又は空港のような商業的環境、スポーツ用多目的車（ＳＵＶ）、バス又は車のような車両、船、若しくはボード、飛行機などの環境において有益である。
【００２７】
ａ．例示的な再生デバイス
図２は、図１のメディア再生システム１００の再生デバイス１０２−１２４の１つ又は複数を構成する例示的な再生デバイス２００の機能ブロック図を示す。再生デバイス２００は、プロセッサ２０２、ソフトウェアコンポーネント２０４、メモリ２０６、オーディオ処理コンポーネント２０８、オーディオアンプ２１０、スピーカ２１２、およびネットワークインタフェース２１４を含んでもよい。ネットワークインタフェース２１４は、無線インタフェース２１６および有線インタフェース２１８を含む。ある場合では、再生デバイス２００は、スピーカ２１２を含まないが、再生デバイス２００を外部スピーカに接続するためのスピーカインタフェースを含んでもよい。別の場合では、再生デバイス２００は、スピーカ２１２もオーディオアンプ２１０も含まないが、再生デバイス２００を外部オーディオアンプ又はオーディオビジュアルレシーバーに接続するためのオーディオインタフェースを含んでもよい。
【００２８】
ある例では、プロセッサ２０２は、メモリ２０６に記憶された命令に基づいて、入力データを処理するように構成されたクロック駆動コンピュータコンポーネントであってもよい。メモリ２０６は、プロセッサ２０２によって実行可能な命令を記憶するように構成された非一時的なコンピュータ読み取り可能記録媒体であってもよい。例えば、メモリ２０６は、ある機能を実行するためにプロセッサ２０２によって実行可能なソフトウェアコンポーネント２０４の１つ又は複数をロードすることができるデータストレージであってもよい。ある例では、機能は、再生デバイス２００がオーディオソース又は別の再生デバイスからオーディオデータを読み出すステップを含んでもよい。別の例では、機能は、再生デバイス２００がネットワーク上の別のデバイス又は再生デバイスにオーディオデータを送信するステップを含んでもよい。更に別の例では、機能は、マルチチャンネルオーディオ環境を作るために、再生デバイス２００と１つ又は複数の再生デバイスとをペアリングするステップを含んでもよい。
【００２９】
ある機能は、再生デバイス２００が、１つ又は複数の他の再生デバイスと、オーディオコンテンツの再生を同期するステップを含む。再生を同期している間、再生デバイス２００によるオーディオコンテンツの再生と１つ又は複数の他の再生デバイスによる再生との間の遅延を、聴取者が気づかないことが好ましい。「複数の独立クロックデジタルデータ処理デバイス間の動作を同期するシステムおよび方法」と題する米国特許第８，２３４，３９５号が本明細書に参照として援用されており、それは再生デバイス間のオーディオ再生を同期することが述べられたより詳細な例を提供している。
【００３０】
更に、メモリ２０６は、データを記憶するように構成されてもよい。データは、例えば、１つ又は複数のゾーン及び／又はゾーングループに一部として含まれる再生デバイス２００などの再生デバイス２００、再生デバイス２００によりアクセス可能なオーディオソース、又は再生デバイス２００（又は他の再生デバイス）に関連付け可能な再生キュー、に関連付けられている。データは、定期的に更新され、再生デバイス２００の状態を示す１つ又は複数の状態変数として記憶されてもよい。また、メモリ２０６は、メディアシステムの他のデバイスの状態に関連付けられたデータを含んでもよく、デバイス間で随時共有することによって、１つ又は複数のデバイスが、システムに関連するほぼ直近のデータを有することができる。他の実施形態も可能である。
【００３１】
オーディオ処理コンポーネント２０８は、１つ又は複数のデジタル−アナログ変換器（ＤＡＣ）、オーディオ処理コンポーネント、オーディオ強化コンポーネント、及びデジタルシグナルプロセッサ（ＤＳＰ）などを含んでいてもよい。ある実施形態では、１つ又は複数のオーディオ処理コンポーネント２０８は、プロセッサ２０２のサブコンポーネントであってもよい。ある実施形態では、オーディオコンテンツが、オーディオ処理コンポーネント２０８によって処理及び／又は意図的に変更されることによって、オーディオ信号を生成してもよい。生成されたオーディオ信号は、オーディオアンプ２１０に送信され、増幅され、スピーカ２１２を通じて再生される。特に、オーディオアンプ２１０は、１つ又は複数のスピーカ２１２を駆動できるレベルまでオーディオ信号を増幅するように構成されたデバイスを含んでもよい。オーディオ処理コンポーネント２０８およびオーディオアンプ２１０は、オーディオステージと呼ばれる場合がある。
【００３２】
スピーカ２１２は、独立した変換器（例えば、「ドライバ」）又は１つ又は複数のドライバを内包する筐体を含む完全なスピーカシステムを備えてもよい。スピーカ２１２に備えられたあるドライバは、例えば、サブウーファー（例えば、低周波用）、ミドルレンジドライバ（例えば、中間周波用）、及び／又はツイーター（高周波用）を含んでもよい。ある場合では、１つ又は複数のスピーカ２１２のそれぞれの変換器は、オーディオアンプ２１０の対応する個々のオーディオアンプによって駆動されてもよい。再生デバイス２００で再生するアナログ信号を生成することに加えて、オーディオ処理コンポーネント２０８は、オーディオコンテンツを処理し、そのオーディオコンテンツを１つ又は複数の他の再生デバイスに再生させるために送信する。
【００３３】
再生デバイス２００によって処理及び／又は再生されるオーディオコンテンツは、外部ソース、例えば、オーディオライン−イン入力接続（例えば、オートディテクティング３．５ｍｍオーディオラインイン接続）又はネットワークインタフェース２１４を介して、受信されてもよい。
【００３４】
ネットワークインタフェース２１４は、データネットワーク上で再生デバイス２００と１つ又は複数の他のデバイスとの間のデータフローを可能にするように構成されてもよい。このように、再生デバイス２００は、再生デバイスと通信する１つ又は複数の他の再生デバイス、ローカルエリアネットワーク内のネットワークデバイス、又は例えば、インターネット等のワイドエリアネットワーク上のオーディオコンテンツソースから、データネットワークを介してオーディオコンテンツを受信するように構成されてもよい。ある例では、再生デバイス２００によって送信および受信されたオーディオコンテンツおよび他の信号は、インターネットプロトコル（ＩＰ）に基づくソースアドレスおよびＩＰに基づく宛先アドレスを含むデジタルパケットの形で送信されてもよい。そのような場合、ネットワークインタフェース２１４は、デジタルパケットデータを解析することによって、再生デバイス２００宛てのデータを、再生デバイス２００によって適切に受信して処理することができる。
【００３５】
図示されるように、ネットワークインタフェース２１４は、無線インタフェース２１６と有線インタフェース２１８とを含んでもよい。無線インタフェース２１６は、再生デバイス２００用のネットワークインタフェース機能を提供し、通信プロトコル（例えば、無線規格ＩＥＥＥ８０２．１１ａ、８０２．１１ｂ、８０２．１１ｇ、８０２．１１ｎ、８０２．１１ａｃ、８０２．１５、４Ｇモバイル通信基準などを含む無線基準（規格）のいずれか）に基づいて、他のデバイス（例えば、再生デバイス２００に関連付けられたデータネットワーク内の他の再生デバイス、スピーカ、レシーバー、ネットワークデバイス、制御デバイス）と無線通信してもよい。有線インタフェース２１８は、再生デバイス２００用のネットワークインタフェース機能を提供し、通信プロトコル（例えば、ＩＥＥＥ８０２．３）に基づいて他のデバイスとの有線接続を介して通信してもよい。図２に示されるネットワークインタフェース２１４は、無線インタフェース２１６と有線インタフェース２１８との両方を含んでいるが、ネットワークインタフェース２１４は、ある実施形態において、無線インタフェースのみか、又は有線インタフェースのみを含んでもよい。
【００３６】
ある例では、再生デバイス２００と他の再生デバイスとは、ペアにされて、オーディオコンテンツの２つの別々のオーディオコンポーネントを再生してもよい。例えば、再生デバイス２００は、左チャンネルオーディオコンポーネントを再生するように構成される一方、他の再生デバイスは、右チャンネルオーディオコンポーネントを再生するように構成されてもよい。これにより、オーディオコンテンツのステレオ効果を生成するか、又は強化することができる。ペアにされた再生デバイス（「結合再生デバイス」とも言う）は、更に、他の再生デバイスと同期してオーディオコンテンツを再生してもよい。
【００３７】
別の例では、再生デバイス２００は、１つ又は複数の他の再生デバイスと音響的に統合され、単一の統合された再生デバイス（統合再生デバイス）を形成してもよい。統合再生デバイスは、統合されていない再生デバイス又はペアにされた再生デバイスと比べて、サウンドの処理や再現を異なるように構成することができる。なぜならば、統合再生デバイスは、オーディオコンテンツを再生するスピーカ追加することができるからである。例えば、再生デバイス２００が、低周波レンジのオーディオコンテンツを再生するように設計されている場合（例えば、サブウーファー）、再生デバイス２００は、全周波数レンジのオーディオコンテンツを再生するように設計された再生デバイスと統合されてもよい。この場合、全周波数レンジの再生デバイスは、低周波の再生デバイス２００と統合されたとき、オーディオコンテンツの中高周波コンポーネントのみを再生するように構成されてもよい。一方で低周波レンジの再生デバイス２００は、オーディオコンテンツの低周波コンポーネントを再生する。更に、統合再生デバイスは、単一の再生デバイス、又は更に他の統合再生デバイスとペアにされてもよい。
【００３８】
例として、現在、ソノズ・インコーポレイテッドは、「ＰＬＡＹ：１」、「ＰＬＡＹ：３」、「ＰＬＡＹ：５」、「ＰＬＡＹＢＡＲ」、「ＣＯＮＮＥＣＴ：ＡＭＰ」、「ＣＯＮＮＥＣＴ」、および「ＳＵＢ」を含む再生デバイスを販売提供している。他の過去、現在、及び／又は将来のいずれの再生デバイスにおいても、追加的に又は代替的に本明細書で開示された実施例の再生デバイスに実装して使用することができる。更に、再生デバイスは、図２に示された特定の例又は提供されるソノズ製品に限定されないことは理解される。例えば、再生デバイスは、有線又は無線のヘッドホンを含んでもよい。別の例では、再生デバイスは、パーソナルモバイルメディア再生デバイス用のドッキングステーションを含むか、又は、それらと対話してもよい。更に別の例では、再生デバイスは、別のデバイス又はコンポーネント、例えば、テレビ、照明器具、又は屋内又は屋外で使用するためのいくつかの他のデバイスと一体化されてもよい。
【００３９】
ｂ．例示的な再生ゾーン構成
図１のメディア再生システムに戻って、環境は、１つ又は複数の再生ゾーンを有しており、それぞれの再生ゾーンは１つ又は複数の再生デバイスを含んでいる。メディア再生システム１００は、１つ又は複数の再生ゾーンで形成されており、後で１つ又は複数のゾーンが追加又は削除して、図１に示す例示的な構成としてもよい。それぞれのゾーンは、異なる部屋又は空間、例えば、オフィス、浴室、主寝室、寝室、キッチン、ダイニングルーム、リビングルーム、及び／又はバルコニーに基づく名前が与えられてもよい。ある場合では、単一の再生ゾーンは複数の部屋又は空間を含んでもよい。別の場合では、単一の部屋又は空間は、複数の再生ゾーンを含んでもよい。
【００４０】
図１に示されるように、バルコニー、ダイニングルーム、キッチン、浴室、オフィス、および寝室のゾーンのそれぞれは、１つの再生デバイスを有する一方、リビングルームおよび主寝室のゾーンのそれぞれは、複数の再生デバイスを有する。リビングルームゾーンは、再生デバイス１０４、１０６、１０８、および１１０が、別々の再生デバイスとしてか、１つ又は複数の結合再生デバイスとしてか、１つ又は複数の統合再生デバイスとしてか、又はこれらのいずれかの組み合わせで、オーディオコンテンツを同期して再生するように構成されてもよい。同様に、主寝室の場合では、再生デバイス１２２および１２４が、別々の再生デバイスとしてか、結合再生デバイスとしてか、又は統合再生デバイスとして、オーディオコンテンツを同期して再生するように構成されてもよい。
【００４１】
ある例では、図１の環境における１つ又は複数の再生ゾーンは、それぞれ異なるオーディオコンテンツを再生している。例えば、ユーザは、バルコニーゾーンでグリルしながら、再生デバイス１０２によって再生されるヒップホップ音楽を聞くことができる。一方、別のユーザは、キッチンゾーンで食事を準備しながら、再生デバイス１１４によって再生されるクラシック音楽を聞くことができる。別の例では、再生ゾーンは、同じオーディオコンテンツを別の再生ゾーンと同期して再生してもよい。例えば、ユーザがオフィスゾーンにいる場合、オフィスゾーンの再生デバイス１１８が、バルコニーの再生デバイス１０２で再生されている音楽と同じ音楽を再生してもよい。そのような場合、再生デバイス１０２および１１８は、ロック音楽を同期して再生しているため、ユーザは、異なる再生ゾーン間を移動してもアウト−ラウドで再生されるオーディオコンテンツをシームレス（又は少なくともほぼシームレス）に楽しむことができる。再生ゾーン間の同期は、前述の米国特許第８，２３４，３９５号で述べられているような再生デバイス間の同期と同様の方法で行ってもよい。
【００４２】
上述したように、メディア再生システム１００のゾーン構成は、動的に変更してもよく、ある実施形態では、メディア再生システム１００は、複数の構成をサポートする。例えば、ユーザが１つ又は複数の再生デバイスを、物理的にゾーンに移動させるか、又はゾーンから移動させる場合、メディア再生システム１００は変更に対応するように再構成されてもよい。例えば、ユーザが再生デバイス１０２をバルコニーゾーンからオフィスゾーンに物理的に移動させる場合、オフィスゾーンは、再生デバイス１１８と再生デバイス１０２との両方を含んでもよい。必要に応じて、制御デバイス、例えば制御デバイス１２６と１２８とを介して、再生デバイス１０２が、ペアにされるか、又はオフィスゾーンにグループ化されるか、及び／又はリネームされてもよい。一方、１つ又は複数の再生デバイスが、再生ゾーンを未だ設定していないホーム環境において、ある領域に移動させられた場合、新しい再生ゾーンがその領域に形成されてもよい。
【００４３】
更に、メディア再生システム１００の異なる再生ゾーンは、動的にゾーングループに組み合わされてもよいし、又は別々の再生ゾーンに分割されてもよい。例えば、ダイニングルームゾーンとキッチンゾーン１１４とがディナーパーティ用のゾーングループに組み合わされることによって、再生デバイス１１２と１１４とがオーディオコンテンツを同期して再生することができる。一方、あるユーザがテレビを見たい一方、他のユーザがリビングルーム空間の音楽を聞きたい場合、リビングルームゾーンが、再生デバイス１０４を含むテレビゾーンと、再生デバイス１０６、１０８および１１０を含むリスニングゾーンと、に分けられてもよい。
【００４４】
ｃ．例示的な制御デバイス
図３は、メディア再生システム１００の制御デバイス１２６及び１２８のうちの一方又は両方を構成する例示的な制御デバイス３００の機能ブロック図を示す。制御デバイス３００は、コントローラ３００と呼ばれる場合もある。図示されるように、制御デバイス３００は、プロセッサ３０２、メモリ３０４、ネットワークインタフェース３０６、およびユーザインタフェース３０８を含んでもよい。ある例では、制御デバイス３００は、メディア再生システム１００専用の制御デバイスであってもよい。別の例では、制御デバイス３００は、メディア再生システムコントローラアプリケーションソフトウェアがインストールされたネットワークデバイス、例えば、ｉＰｈｏｎｅ（登録商標）、ｉＰａｄ（登録商標）、又は任意の他のスマートフォン、タブレットあるいはネットワークデバイス（例えば、ＰＣ又はＭａｃ（登録商標）などのネットワークコンピュータ）であってもよい。
【００４５】
プロセッサ３０２は、メディア再生システム１００のユーザアクセス、コントロール、および構成を可能にすることに関する機能を実行するように構成されてもよい。メモリ３０４は、それらの機能を実行するためにプロセッサ３０２によって実行可能な命令を記憶するように構成されていてもよい。また、メモリ３０４は、メディア再生システムコントローラアプリケーションソフトウェアと、メディア再生システム１００とユーザとに関連付けられた他のデータを記憶するように構成されてもよい。
【００４６】
ある例では、ネットワークインタフェース３０６は、工業規格（例えば、赤外線、無線、ＩＥＥＥ８０２．３などの有線規格、ＩＥＥＥ８０２．１１ａ、８０２．１１ｂ、８０２．１１ｇ、８０２．１１ｎ、８０２．１１ａｃ、８０２．１５などの無線規格、４Ｇ通信規格など）に基づいてもよい。ネットワークインタフェース３０６においては、制御デバイス３００がメディア再生システム１００内の他のデバイスと通信するための手段を提供してもよい。ある例では、データおよび情報（例えば、状態変数）は、ネットワークインタフェース３０６を介して制御デバイス３００と他のデバイスとの間で通信されてもよい。例えば、メディア再生システム１００における再生ゾーンおよびゾーングループの構成は、制御デバイス３００によって、再生デバイス又は別のネットワークデバイスから受信されてもよいし、あるいは制御デバイス３００によって、ネットワークインタフェース３０６を介して別の再生デバイス又はネットワークデバイスに送信されてもよい。ある場合では、他のネットワークデバイスは、別の制御デバイスであってもよい。
【００４７】
ボリュームコントロールおよびオーディオ再生コントロールなどの再生デバイス制御コマンドは、ネットワークインタフェース３０６を介して制御デバイス３００から再生デバイスに通信されてもよい。上述したように、メディア再生システム１００の構成の変更は、ユーザにより制御デバイス３００を用いて行うことができる。構成の変更は、１つ又は複数の再生デバイスをゾーンに追加すること、１つ又は複数の再生デバイスをゾーンから取り除くこと、１つ又は複数のゾーンをゾーングループに追加すること、１つ又は複数のゾーンをゾーングループから取り除くこと、結合プレーヤー又は統合プレーヤーを形成すること、結合プレーヤー又は統合プレーヤーから１つ又は複数の再生デバイスに分けることなどを含んでもよい。このように、制御デバイス３００は、コントローラと呼ばれてもよく、制御デバイス３００は、メディア再生システムコントローラアプリケーションソフトウェアをインストールした専用のコントローラか、又はネットワークデバイスであってもよい。
【００４８】
制御デバイス３００のユーザインタフェース３０８は、図４に示されるコントローラインタフェース４００などのようなコントローラインタフェースを提供することによって、メディア再生システム１００のユーザアクセスおよび制御を可能にするように構成されてもよい。コントローラインタフェース４００は、再生制御領域４１０、再生ゾーン領域４２０、再生ステータス領域４３０、再生キュー領域４４０、およびオーディオコンテンツソース領域４５０を含む。図示されるユーザインタフェース４００は、図３の制御デバイス３００などのようなネットワークデバイス（及び／又は図１の制御デバイス１２６および１２８）を設けられたユーザインタフェースの単なる一例であって、ユーザによってメディア再生システム１００などのようなメディア再生システムを制御するためにアクセスされるものである。あるいは、様々なフォーマット、スタイル、および対話型シーケンスを他のユーザのインタフェースを１つ又は複数のネットワークデバイスに実装し、メディア再生システムへ類似の制御アクセスを提供してもよい。
【００４９】
再生制御領域４１０は、（例えば、タッチ又はカーソルを用いることで）選択可能なアイコンを含んでもよい。このアイコンによって、選択された再生ゾーン又はゾーングループ内の再生デバイスが、再生又は停止、早送り、巻き戻し、次にスキップ、前にスキップ、シャッフルモードのオン／オフ、リピートモードのオン／オフ、クロスフェードモードのオン／オフを行う。再生制御領域４１０は、別の選択可能なアイコンを含んでもよい。別の選択可能なアイコンは、イコライゼーション設定、再生ボリュームなど他の設定などを変更してもよい。
【００５０】
再生ゾーン領域４２０は、メディア再生システム１００内の再生ゾーンの表示を含んでもよい。ある実施形態では、再生ゾーンのグラフィック表示が選択可能であってもよい。追加の選択可能なアイコンを移動させることによって、メディア再生システム内の再生ゾーンを管理又は構成することができる。例えば、結合ゾーンの作成、ゾーングループの作成、ゾーングループの分割、およびゾーングループのリネームなど他の管理又は構成を行うことができる。
【００５１】
例えば、図示されるように、「グループ」アイコンは、再生ゾーンのグラフィック表示のそれぞれに設けられてもよい。あるゾーンのグラフィック表示内の「グループ」アイコンは、メディア再生システム内の１つ又は複数のゾーンを選択して、あるゾーンとグループ化するオプションを出せるように選択可能であってもよい。一度グループ化すると、あるゾーンとグループ化されたゾーン内の再生デバイスは、あるゾーン内の再生デバイスと同期してオーディオコンテンツを再生するように構成される。同様に、「グループ」アイコンは、ゾーングループのグラフィック表示内に設けられてもよい。この場合、「グループ」アイコンは、ゾーングループ内の１つ又は複数のゾーンをゾーングループから取り除くために、ゾーングループ内の１つ又は複数のゾーンを選択から外すというオプションを出すように選択可能であってもよい。コントローラインタフェース４００等のユーザインタフェースを介してゾーンをグループ化およびグループ解除するための他の対話をすることも可能であるし、実施することも可能である。再生ゾーン領域４２０内の再生ゾーンの表示は、再生ゾーン又はゾーングループ構成が変更されると、動的に更新されてもよい。
【００５２】
再生ステータス領域４３０は、現在再生されているオーディオコンテンツ、前に再生されたオーディオコンテンツ、又は選択された再生ゾーン又はゾーングループ内で次に再生するように予定されているオーディオコンテンツ、のグラフィック表示を含んでもよい。選択可能な再生ゾーン又は再生グループは、ユーザインタフェース上で、例えば、再生ゾーン領域４２０及び／又は再生ステータス領域４３０内で視覚的に区別されてもよい。グラフィック表示は、トラックタイトル、アーティスト名、アルバム名、アルバム年、トラックの長さ、およびメディア再生システムを、コントローラインタフェース４００を介して制御するときに、ユーザにとって有益な他の関連情報を含んでもよい。
【００５３】
再生キュー領域４４０は、選択された再生ゾーン又はゾーングループに関連付けられた再生キュー内のオーディオコンテンツのグラフィック表示を含んでもよい。ある実施形態では、それぞれの再生ゾーン又はゾーングループは、再生ゾーン又は再生グループによって再生される０以上のオーディオアイテムに対応する情報を含む再生キューに関連付けられてもよい。例えば、再生キュー内のそれぞれのオーディオアイテムは、ユー・アール・アイ（ＵＲＩ）、ユー・アール・エル（ＵＲＬ）、又は再生ゾーン又はゾーングループ内の再生デバイスによって使用可能な他の識別子を含んでもよい。これらによって、ローカルオーディオコンテンツソース又はネットワークオーディオコンテンツソース、からオーディオアイテムを見つけ、及び／又は取り出し、再生デバイスによって再生することができる。
【００５４】
ある例では、プレイリストが再生キューに追加されてもよい。この場合、プレイリスト内のそれぞれのオーディオアイテムに対応する情報が再生キューに追加されてもよい。別の例では、再生キュー内のオーディオアイテムは、プレイリストとして保存されてもよい。更に別の例では、再生デバイスがストリーミングオーディオコンテンツ、例えば、再生時間を有することで連続して再生されないオーディオアイテムよりも、停止しない限り連続して再生されるインターネットラジオを再生し続けているとき、再生キューは、空であってもよいし、又は「未使用」であるが埋められていてもよい。別の実施形態では、再生キューは、インターネットラジオ及び／又は他のストリーミングオーディオコンテンツアイテムを含むことができ、且つ再生ゾーン又はゾーングループがそれらのアイテムを再生しているとき「未使用」とすることができる。他の例も可能である。
【００５５】
再生ゾーン又はゾーングループが「グループ化される」か、又は「グループ解除」されるとき、影響を受ける再生ゾーン又はゾーングループに関連付けられた再生キューは、クリアされてもよいし、又は再び関連付けられてもよい。例えば、第１再生キューを含む第１再生ゾーンが、第２再生キューを含む第２再生ゾーンとグループ化された場合、形成されたゾーングループは、関連付けられた再生キューを有してもよい。関連付けられた再生キューは、最初は空であるか、（例えば、第２再生ゾーンが第１再生ゾーンに追加された場合、）第１再生キューのオーディオアイテムを含むか、（例えば、第１再生ゾーンが第２再生ゾーンに追加された場合、）第２再生キューのオーディオアイテムを含むか、又は第１再生キューと第２再生キューとの両方のオーディオアイテムを組み合わせられる。その後、形成されたゾーングループがグループ解除された場合、グループ解除された第１再生ゾーンは、前の第１再生キューと再び関連付けられてもよいし、空の新しい再生キューに関連付けられてもよいし、あるいはゾーングループがグループ解除される前にゾーングループに関連付けられていた再生キューのオーディオアイテムを含む新しい再生キューに関連付けられてもよい。同様に、グループ解除された第２再生ゾーンは、前の第２再生キューと再び関連付けられてもよいし、空の新しい再生キューに関連付けられてもよいし、あるいはゾーングループがグループ解除される前にゾーングループに関連付けられていた再生キューのオーディオアイテムを含む新しい再生キューに関連付けられてもよい。
【００５６】
図４のユーザインタフェース４００に戻って、再生キュー領域４４０内のオーディオコンテンツのグラフィック表示は、トラックタイトル、アーティスト名、トラックの長さ、および再生キュー内のオーディオコンテンツに関連付けられた他の関連情報を含んでもよい。ある例では、オーディオコンテンツのグラフィック表示は、追加の選択可能なアイコンを選択して移動させることができる。これにより、再生キュー及び／又は再生キューに表示されたオーディオコンテンツを管理及び／又は編集することができる。例えば、表示されたオーディオコンテンツは、再生キューから取り除いてもよいし、再生キュー内の異なる位置に移動させてもよいし、すぐに再生させるか若しくは現在再生しているオーディオコンテンツの後に再生するように選択されてもよいし、あるいは他の動作を実行してもよい。再生ゾーン又はゾーングループに関連付けられた再生キューは、再生ゾーン又はゾーングループ内の１つ又は複数の再生デバイスのメモリ、再生ゾーン又はゾーングループに入っていない再生デバイスのメモリ、及び／又は他の指定のデバイスのメモリに記憶されていてもよい。そのような再生キューの再生には、キューのメディアアイテムを、おそらく順次またはランダムな順序で再生する１つ又は複数の再生デバイスが関係していてもよい。
【００５７】
オーディオコンテンツソース領域４５０は、選択可能なオーディオコンテンツソースのグラフィック表示を含んでいてもよい。このオーディオコンテンツソースにおいては、オーディオコンテンツが選択された再生ゾーン又はゾーングループによって取り出され、再生されてもよい。オーディオコンテンツソースに関する説明は、以降のセクションを参照することができる。
【００５８】
ｄ．例示的なオーディオコンテンツソース
前回図示したように、ゾーン又はゾーングループ内の１つ又は複数の再生デバイスは、再生するオーディオコンテンツを、（例えば、オーディオコンテンツの対応するＵＲＩ又はＵＲＬに基づいて、）複数の入手可能なオーディオコンテンツソースから取り出すように構成されてもよい。ある例では、オーディオコンテンツは、再生デバイスによって、対応するオーディオコンテンツソース（例えば、ライン−イン接続）から直接取り出されてもよい。別の例では、オーディオコンテンツは、１つ又は複数の他の再生デバイス若しくはネットワークデバイスを介してネットワーク上の再生デバイスに提供されてもよい。
【００５９】
例示的なオーディオコンテンツソースは、メディア再生システム内の１つ又は複数の再生デバイスのメモリを含んでもよい。メディア再生システムとしては、例えば、図１のメディア再生システム１００、１つ又は複数のネットワークデバイス上のローカルミュージックライブラリ（例えば、制御デバイス、ネットワーク対応のパーソナルコンピュータ、又はネットワーク接続ストレージ（ＮＡＳ）など）、インターネット（例えば、クラウド）を介してオーディオコンテンツを提供するストリーミングオーディオサービス、あるいは再生デバイス又はネットワークデバイスのライン−イン入力接続を介してメディア再生システムに接続されるオーディオソース、他の可能なシステムであってもよい。
【００６０】
ある実施形態では、オーディオコンテンツソースは、図１のメディア再生システム１００などのようなメディア再生システムに定期的に追加されてもよいし、定期的に取り除かれてもよい。ある例では、１つ又は複数のオーディオコンテンツソースが追加される、取り除かれる、又は更新される度に、オーディオアイテムのインデックス付けが行われてもよい。オーディオアイテムのインデックス付けは、ネットワーク上で共有される全てのフォルダ／ディレクトリ内の識別可能なオーディオアイテムをスキャンすることを含んでもよい。ここで、ネットワークは、メディア再生システム内の再生デバイスによってアクセス可能である。また、オーディオアイテムのインデックス付けは、メタデータ（例えば、タイトル、アーティスト、アルバム、トラックの長さなど）と他の関連情報とを含むオーディオコンテンツデータベースを作成すること、又は更新すること、を含んでもよい。他の関連情報とは、例えば、それぞれの識別可能なオーディオアイテムを見つけるためのＵＲＩ又はＵＲＬを含んでもよい。オーディオコンテンツソースを管理し、且つ維持するための他の例も可能である。
【００６１】
ＩＩＩ．実施例
次に、再生デバイスの内部ハウジング内に取り付けられたサウンドトランスデューサからの乱流ノイズを低減及び／又は回避する手法の実施例へ進む。図５Ａ、５Ｂ、及び５Ｃは、一例である再生デバイス５００を示す。再生デバイス５００は、例えば、サウンドベースタイプの再生デバイスを表すが、手法の例は、他のタイプの再生デバイスにも適用可能である。上述したように、動作中、サウンドベースは、表示デバイス（例えば、フラットパネルＬＣＤ  ＨＤＴＶ等のテレビ）と組み合わせ、その表示デバイスに音声出力を提供し得る。サウンドベースは、他のソースからのサウンドも再生し得る。図５Ａは、一例である再生デバイス５００の破断上面図を示し、図５Ｂ及び図５Ｃは、それぞれ再生デバイス５００の正面図及び側面図を示す。
【００６２】
図５Ａに示すように、再生デバイス５００は、ハウジング５０２上又はハウジング５０２内に取り付けられた、オーディオドライバ５０４Ａ、５０４Ｂ、５０４Ｃ、及び５０４Ｄ、並びにオーディオドライバ５０６及びオーディオドライバ５０８を含む。オーディオドライバ５０４Ａ、５０４Ｂ、５０４Ｃ、及び５０４Ｄは、ミッドレンジ（例えば、可能な周波数帯域の中で特に、約２５０乃至２０００Ｈｚの周波数）又はフルレンジオーディオトランスデューサ（例えば、広範囲の周波数を再生するように設計されたトランスデューサ）を表す。オーディオドライバ５０６は、相対的に高い周波数の音（例えば、特に、約２０００乃至２０，０００Ｈｚの高音周波数）を再生するように設計されたツイータタイプのスピーカを表す。オーディオドライバ５０８は、相対的に低周波数の音（例えば、可能な周波数帯域の中で特に、４０Ｈｚ乃至５００Ｈｚ等の低音周波数）を再生するように設計されたウーハタイプのスピーカを表す。
【００６３】
オーディオドライバ５０４Ａ、５０４Ｂ、５０４Ｃ、及び５０６Ｄ、オーディオドライバ５０６、及びオーディオドライバ５０８は、共にフルレンジ（例えば、人間の聴覚の範囲又は他の何らかの所望の出力範囲）に亘り音声を再生するように設計し得る。スリーウェイラウドスピーカシステムを一例として示しているが、本明細書において考えられる他の実施では、数又はタイプの異なるオーディオドライバを含み得る。例えば、他の実施では、特にツーウェイスピーカシステムを利用し得る。
【００６４】
図５Ａ及び５Ｂに示すように、オーディオドライバ５０４Ａ、５０４Ｂ、５０４Ｃ、及び５０４Ｄ、並びに５０６は、音声を聴取環境（例えば、住居又はビジネスの部屋）に向けるために、ハウジング５０２の前面又はその近くに取り付けられる。特に、オーディオドライバ５０４Ｂ、５０４Ｃ、及び５０６は、ハウジング５０２の前側に沿って外向きに取り付けられ、音声出力を前方に（例えば、聴取環境内の座席へ）向ける。オーディオドライバ５０４Ａ及び５０４Ｄは、ハウジング５０２の前方隅に４５度の角度で配置されている。このような角度でドライバを配置することで、より広いサウンドステージを生成し得る。一部の実施形態において、オーディオドライバ５０４Ａ、５０４Ｂ、５０４Ｃ、５０４Ｄは、独立して又は協調して動作して、複数のオーディオチャネル（例えば、ステレオ又はサラウンドサウンドの録音）を再生し得る。
【００６５】
オーディオドライバ５０４Ａ、５０４Ｂ、５０４Ｃ、及び５０６Ｄとは対照的に、オーディオドライバ５０８は、図５Ａに示すように、ハウジング５０２の内部に取り付けられる。特に、オーディオドライバ５０８は、トランスデューサが垂直軸線に沿って上下に移動して音声出力を生成するように取り付けられる。このような配向性において、オーディオドライバ５０８は、聴取者の予想位置に方向付けられていない。逆に、オーディオドライバ５０４Ａ、５０４Ｂ、５０４Ｃ、５０４Ｄ、及び５０６は、それぞれのトランスデューサが水平軸線に沿って動き、音声出力を聴取環境に向けて方向付けるように取り付けられる。
【００６６】
ツイータとミッドレンジオーディオドライバは、相対的に高い周波数を再生するため、ウーハと比較して相対的に指向性が高い。そのため、これらのタイプのドライバを予想聴取者位置に向けることで、それらの位置の聴取者に対する見かけの音質を向上させ得る。低音周波数は相対的に指向性が低いため、ウーハを予想聴取者位置から離れる方向に向けることは、より高い周波数を再生するように設計されたドライバと比較して、聴取者が知覚する全体的な低音の応答に対する影響が少ない。このオーディオドライバ構成を一例として示しているが、実施例は、水平及び垂直取り付けの様々な組み合わせで、又は水平及び／又は垂直に対する角度を有して、オーディオドライバを含み得る。
【００６７】
一部の市販のスピーカ又は再生デバイスは、垂直に配向されたオーディオトランスデューサを有する。例えば、一部のサブウーハは、ダウンファイヤリングトランスデューサを有する。サブウーハトランスデューサは、ハウジングの底面に取り付けられ、内部容積ではなく、床に排気を向けることが多い。サブウーハトランスデューサは、動作中に顕著な気流を発生させる大口径の振動板（例えば、８”乃至１２”以上）を有することが多い。
【００６８】
ハウジング５０２の内部に取り付けられると、オーディオドライバ５０８は、ハウジング５０２の第１の内部容積と第２の内部容積とを分割し得る。例えば、オーディオドライバ５０８の振動板は、第１の内部容積の一部を形成する。ハウジング５０２は、恐らくは取り付けブラケット等の他の内部構成要素との組み合わせにより、第１の内部容積の残りを形成し得る。振動板の後部は、第２の内部容積の一部を、その容積内に延びるウーハ５０８の一部のコンポーネント（例えば、磁石及びボイスコイル）と共に形成し得る。第１の内部容積と同様に、ハウジング５０２は、恐らくは他の内部構成要素との組み合わせにより、第２の内部容積の残りを形成する。
【００６９】
動作中、オーディオドライバ５０８のボイスコイル及び磁石により、オーディオドライバ５０８の振動板は、意図された応答を十分な容積で生成するために、第１の内部体積及び第２の内部体積内に顕著な排気（気流）を発生させ得る。第１の内部容積から聴取環境への気流を促進するために、再生デバイス５００は、ベント５１０Ａ及び５１０Ｂを含む。図５Ｂ及び５Ｃに示すように、ベント５１０Ａ及び５１０Ｂは、グリル５１４を介して、ハウジング５０２の外部へのそれぞれの気流経路を提供する。他の実施は、タイプ又は組み合わせの異なる気流用開口部を含み得る。
【００７０】
再生デバイス５０２は、更に、ハウジング５０２の外部へのポート５１２を含む。ポート５１２は、第２の内部容積から聴取環境への気流を促進する。このような気流は、ウーハ５０８（及び場合によっては他の内部構成要素）に冷却効果をもたらす。ポート５１２は、特定の周波数で共鳴するように調整されてもよい。これにより、特定の周波数でのウーハ５０８の低音応答を増加させ得る。他の実施では、第２の内部容積から聴取環境への気流を促進する開口部を有しない場合がある（例えば、密閉型ウーハ設計）。
【００７１】
再生デバイス５００の様々な構成要素は、オーディオドライバ５０８だけでなく、ハウジング５０２の外部への気流の経路を提供する任意のベントの大きさ及び位置を制約する場合がある。例えば、スピーカオーディオドライバ５０４Ａ、５０４Ｂ、５０４Ｃ、５０４Ｄ、及び５０６は、特定の位置に取り付けられ、それらの位置は、通気用に利用できなくなる場合がある。特に、プロセッサ、メモリ、音響処理構成要素、オーディオアンプ、入出力インタフェース等、図５に示されていない他の構成要素により、形状が制約される場合がある。更に、他の考慮すべき事柄により、ハウジング５０２の全体的な形状が制約される場合がある。例えば、特定の形状（例えば、より小型の及び／又はより流線型のデバイス）に対する消費者の好み、及び他のデバイス（例えば、市販のテレビ）との形状的な適合性により、ハウジング５０２の長さ、幅、又は高さ、及び全容積が制限される場合がある。
【００７２】
このような制約がある場合、一部の再生デバイスでは、十分な大きさの断面を有するベントを含む上で、内部空間及び／又は外部表面が十分ではない場合がある。ベントが十分に大きくないと、ウーハからの排気が高速で排出され、乱流による可聴ノイズが発生する。このようなノイズは、再生デバイスからの音声を楽しむことに影響する恐れがある。
【００７３】
そのため、一部の再生デバイスの例は、内部オーディオドライバ（群）からの排気用に、外部への開口部の総断面積を増加させるために、複数のベントを含み得る。例えば、再生デバイス５０２は、ベント５１０Ａ及び５１０Ｂを含む。ベント５１０Ａ及び５１０Ｂの形状がそれぞれ制約されている場合、再生デバイス５００内に複数のベントを含めることで、オーディオドライバから聴取環境への排気用の開口部の総断面積が増加する。これにより、乱流によるノイズが、全体的に低減される。
【００７４】
複数のベントを備える一部の実施では、１つ又は複数の第１のベントは、指向性の高い高速のノイズを、予想聴取者位置から離れる方向（例えば側部）に向けるように形成され、１つ又は複数の第２のベントは、指向性の低い低速ノイズを扱うように形成される。指向性の低い低速ノイズは気付きにくいため、第２のベントは、このようなノイズを予想聴取者位置（例えば、前方外部）に向けてもよい。
【００７５】
具体的には、各ベントの断面積を他のベントと相対的に制御することにより、各ベントを通過する気流速度を制御することができる。乱流によるノイズは気流速度に比例するため、各ベントの断面積を他のベントと相対的に制御することにより、各ベントが発生させる「ノイズの分担率」も制御される。更に、乱流によるノイズの全体的強度の大部分は、相対的に指向性の高い高周波ノイズとなる傾向がある。
【００７６】
乱気流によるノイズを側部に向ける（再生デバイス前方の予想聴取者位置から離す）ために、相対的に高速の１つ又は複数のベントは、予想聴取者位置から離れる方向に向けられる。例えば、ベント５１０Ｂは、ベント５１０Ａと比較して、相対的に小さな断面積（したがって、より高速の気流及び多くのノイズ）を有し得る。特定の一実施において、ベント５１０Ｂは、ベント５１０Ａの３倍の速度で空気を送り得る。そのため、乱流によるノイズの約７５％は、ベント５１０Ｂを介して方向付けられる。しかしながら、ベント５１０Ｂは、このノイズを再生デバイス５１０の側部に向ける。その結果、ベント５１０Ａにより方向付けられ、望ましくないノイズを聴取者が聞き取る可能性が高い聴取範囲内へ向かうノイズは、少なくなる。
【００７７】
再生デバイス５００は、高速排気を側部に向けるが、高速排気を他の方向に向けて、この排気を聴取者に向けることを回避してもよい。例えば、高速ベントの例では、乱気流によるノイズを予想聴取者位置から離れる方向に向けるために、可能な方向の中で特に、音声を上方、下方、後方、又は更に前方に向けてもよい。再生デバイス５００のようなサウンドベースにおいて、前部及び（複数の）側部から放出された排気は、上方、下方、又は後方に比べ、障害物に遭遇する可能性が低くなり得る。このような方向には、一般的な使用例では、家具、壁、又は他の装置（例えば、テレビ）が存在する可能性が高くなり得る。
【００７８】
障害物に放出された排気により、更に多くの乱流（及び付随するノイズ）が発生する恐れがある。例えば、再生デバイス（例えば、サウンドベース）は、ユーザにより壁に接近して配置される場合が多い。ウーハの排気がデバイスの背面外部に向けられる実施では、壁が可聴乱流を形成する恐れがある。一方、前部及び（複数の）側部から放出された排気は、乱流を形成する障害物に遭遇する可能性が低くなり得る。
【００７９】
上述したように、再生デバイス５００を一例として形状が制約されたものとして示したが、他の実施では、このように形状が制約されない場合もある。このような構成では、許容できないノイズを発生させることなく、内部ウーハからの排気を扱う十分に大きな断面を単一のベントが有し得る。このような実施では、ベントは、全ての排気を聴取範囲から離れる方向に向け得る。
【００８０】
しかしながら、複数のベントを含めることには、全体的な断面積の増加以外にも利点がある可能性がある。例えば、ベントが（ベント５１０Ａ及び５１０Ｂと同様に）ウーハの周囲で様々な方向に配向された実施では、これらのベントの配置により、オーディオドライバ５０８の振動板に対して、より均一な圧力が形成され得る。振動板に対する圧力がより均一になると、振動板の運動（半径方向及び方位角方向）がより均一になり、他の一部のベント配置（例えば、単一のベント）と比較して、動作中の音響歪みが防止される可能性がある。他の例として、家具、壁、又は他の物体がベントを塞ぐ場合に、再生デバイスには、内部オーディオドライバからの排気を運ぶことが可能な他のベントが含まれる。そのため、塞がれたベント（群）が唯一の経路である場合より、歪みが少なくなる。
【００８１】
複数のベントが内部オーディオドライバからの排気を扱う一部の実施において、複数のベントは、オーディオドライバの動作波長より短い距離で位置決めする。例えば、ベント５１０Ａと５１０Ｂとの間の距離は、オーディオドライバ５０８の動作波長の１／６以下に維持し得る。このような配置により、高調波を防止又は低減し得る。
【００８２】
上述したように、ベント５１０Ａ及び５１０Ｂは、グリル５１４を介してオーディオドライバ５０８からの排気を方向付ける。グリル５１４は、図５Ａ、５Ｂ、及び５Ｃに示すように、オーディオドライバ５０４Ａ、５０４Ｂ、５０４Ｃ、５０４Ｄ、及び５０６を覆う。ベント５１０Ａ及び５１０Ｂ上のグリルは、オーディオドライバ５０８からの排気を部分的に妨害し、これにより、付加的な乱流（及び付随するノイズ）を形成する可能性がある。
【００８３】
しかしながら、このようなグリルは、再生デバイスの美的外観を向上させ得る。特に、装置前部のグリルは、特にグリルに小さな穿孔が含まれる場合、予想聴取者位置から再生デバイスを観た際に、より流型の又はクリーンな見た目に寄与する可能性がある。このような属性は、消費者にとって望ましい場合がある。一方、小さな穿孔は、より多くの障害物を排気に対して形成し、これにより乱流を増加させる恐れがある。
【００８４】
ベント（群）を覆う１つ又は複数のグリルを含む実施では、より大きなグリル穿孔により覆われたベントを介して高速な（ノイズの多い）排気を方向付けることで、グリルからの乱流によるノイズを低減し得る。更に、上述したように、一部の実施では、より断面の小さなベントを用いて、高速な（ノイズの多い）排気を予想ユーザ位置から離れる方向に向けてもよい。このようなベントは、予想聴取者位置から離れる方向に向けられているため、予想ユーザ位置からは、このようなベントを覆う大きなグリル穿孔が見えなくなる場合がある。ベントが予想聴取者位置に向けられる場合（例えば、ベント５１０Ａの場合）、美観を向上させるために、このベントを覆うグリル穿孔を、より小さくしてもよい。同時に、このようなベントは、排気速度を下げるために、より大きな断面を有する場合があるため、小さな穿孔は、高速な排気と同様の効果を有する。
【００８５】
一部の特定の実施形態では、連続（即ちギャップレス）グリルが、再生デバイスの前部及び（複数の）側部を覆う場合がある。連続グリル全体の穿孔サイズは、変更し得る。例えば、デバイスの美観を高めるために、デバイス前部の全体で、穿孔を小さくし得る。側部に沿って穿孔を大きくし、１つ又は複数の側部のベントから放出される排気の速度を高めてもよい。グリル全体で徐々に小さなグリル穿孔から大きな穿孔へ遷移するようにして、デバイスの美観に影響を与え得る孔の大きさの急激な（段差のある）遷移を回避し得る。
【００８６】
オーディオドライバの例に進む。図６Ａ及び６Ｂは、それぞれウーハ６００の等角投影図及び側面図を示す。ウーハ６００は、本明細書に記載の実施例による、再生デバイスの内部に取り付け可能なオーディオドライバの一例である。図６Ａに示すように、ウーハ６００は、振動板６０２（即ち、コーン）、フレーム６０４、及び振動板６０２をフレーム６０４に接続するサスペンション６０６を含む。図６Ｂは、動作中に振動板６０２を駆動する磁石及びボイスコイルを含むアセンブリ６０８を加えて示している。
【００８７】
図７は、再生デバイスの内部にウーハを取り付けるためのブラケットの例として、取り付けブラケット７００を示す。取り付けブラケット７００は、取り付けのためにオーディオドライバ（例えば、ウーハ６００）を保持するように形成された開口部７０２を含む。また、取り付けブラケット７００は、ベント７０４Ａ及び７０４Ｂを部分的に形成する。再生デバイスを組み立てる際に、ハウジングは、恐らくは他の構成要素との組み合わせにより、ベント７０４Ａ及び７０４Ｂの残りを形成し得る。動作中、開口部７０２内に取り付けたオーディオドライバからの排気は、ベント７０４Ａ及び７０４Ｂを介して再生デバイスの外部に向け得る。
【００８８】
図８に示す方法８００は、本明細書に記載の例による再生デバイスを提供する手法の実施形態例を提示している。ブロック８０２において、方法８００は、第１の内部容積及び第２の内部容積を含むエンクロージャを提供することを含む。ブロック８０４において、方法８００は、エンクロージャの内部にスピーカを取り付けることを含む。スピーカを取り付けると、スピーカは、音声を発生させるために軸線に沿って移動可能となる。スピーカの振動板は、第１の内部容積と第２の内部容積とを分割し得る。次にブロック８０６に進むと、方法８００は、第１の内部容積とエンクロージャの外部との間に気流を提供する第１のスピーカベントを形成することを含む。第１のスピーカベントは、第１の方向に気流を向け得る。ブロック８０８において、方法８００は、第１の内部容積とエンクロージャの外部との間に気流を提供する第２のスピーカベントを形成することを含む。第２のスピーカベントは、軸線に対して実質的に角度を有する（例えば、垂直である）第２の方向に気流を向け得る。
【００８９】
ＩＶ．結論
上記の説明は、とりわけ、コンポーネント、ファームウェアおよび／またはハードウェア上で実行されるソフトウェアを含む様々な例示的なシステム、方法、装置、および製品を開示している。そのような例は単に例示的なものであり、限定的であると見なされるべきではないことが理解される。例えば、ファームウェア、ハードウェアおよび／またはソフトウェアの態様またはコンポーネントのいずれかまたはすべてを、ハードウェアのみ、ソフトウェアのみ、ファームウェアのみ、またはハードウェア、ソフトウェアおよび／またはファームウェアの任意の組み合わせで実施できることが考えられる。したがって、提供される例は、そのようなシステム、方法、装置、および／または製品を実施するための唯一の方法ではない。
【００９０】
（特徴１）第１の内部容積及び第２の内部容積を備えるエンクロージャと、エンクロージャの内部に取り付けられ、第１の内部容積と第２の内部容積とを分割する振動板を有し、音声を発生させるために軸線に沿って移動可能なスピーカと、第１の内部容積とエンクロージャの外部との間に気流を提供し、軸線に実質的に垂直な第１の方向に気流を向ける第１のスピーカベントと、第１の内部容積とエンクロージャの外部との間に気流を提供し、軸線に実質的に垂直な第２の方向に気流を向ける第２のスピーカベントと、を備える再生デバイス。
【００９１】
（特徴２）軸線は、垂直であり、第１の方向及び第２の方向が水平である、特徴１の再生デバイス。
【００９２】
（特徴３）エンクロージャは、前面と、前面に実質的に垂直な側面とを備え、第１のスピーカベントは、第１の内部容積とエンクロージャの前面との間に気流を提供し、第２のスピーカベントは、第１の内部容積とエンクロージャの側面との間に気流を提供する、特徴１又は２の再生デバイス。
【００９３】
（特徴４）第２のスピーカベントは、第１のスピーカベントより小さな断面を有し、第２のスピーカベントは、第１のスピーカベントより高速の気流を提供する、特徴１〜３のいずれかの再生デバイス。
【００９４】
（特徴５）前面は、第１のスピーカベントとエンクロージャの外部との間に第１のスピーカグリルを備え、側面は、第１のスピーカベントとエンクロージャの外部との間に第２のスピーカグリルを備える、特徴１〜４のいずれかの再生デバイス。
【００９５】
（特徴６）第１のスピーカグリルは、エンクロージャの前面に第１の穿孔を備え、第２のスピーカグリルは、エンクロージャの側面に第２の穿孔を備え、第２の穿孔は、第１の穿孔よりも大きく、第２のスピーカグリルは、気流に対する抵抗が第１のスピーカグリルより小さい、特徴１〜５のいずれかの再生デバイス。
【００９６】
（特徴７）エンクロージャは、前面と、前面に実質的に垂直な側面とを備え、側面は、（ｉ）第１のスピーカベントとエンクロージャの外部との間の第１のスピーカグリルと、（ｉｉ）第２のスピーカベントとエンクロージャの外部との間の第２のスピーカグリルと、を備える、特徴１〜６のいずれかの再生デバイス。
【００９７】
（特徴８）第１のスピーカベントと第２のスピーカベントとは、スピーカの動作波長より短い距離だけ離れている、特徴１〜７のいずれかの再生デバイス。
【００９８】
（特徴９）第１の水平方向及び第２の水平方向は、９０°乃至１８０°の範囲内で互いに相対角度をなす、特徴１〜８のいずれかの再生デバイス。
【００９９】
（特徴１０）再生デバイスは、更に、少なくとも２０００乃至２００００Ｈｚの周波数帯域で動作する、エンクロージャの前面に沿って外側を向いた１つ又は複数のツイータを備える、特徴１〜９のいずれかの再生デバイス。
【０１００】
（特徴１１）第１の水平方向は、第２の水平方向と同じである、特徴１〜１０のいずれかの再生デバイス。
【０１０１】
（特徴１２）更に、第２の内部容積をエンクロージャの外部に結合するスピーカポートチューブを備える、特徴１〜１１のいずれかの再生デバイス。
【０１０２】
（機能１３）特徴１〜１２のいずれかの再生デバイスを組み立てる方法。
【０１０３】
（特徴１４）（ｉ）第１の内部容積と第２の内部容積とを備えるエンクロージャと、（ｉｉ）エンクロージャの内部に取り付けられ、第１の内部容積と第２の内部容積とを分割する振動板を有し、音声を発生させるために垂直軸線に沿って移動可能なスピーカと、（ｉｉｉ）第１の内部容積とエンクロージャの外部との間に気流を提供し、第１の水平方向に気流を向ける第１のスピーカベントと、（ｉｖ）第１の内部容積とエンクロージャの外部との間に気流を提供し、第２の水平方向に気流を向ける第２のスピーカベントと、を備える再生デバイス。
【０１０４】
（特徴１５）エンクロージャは、前面と、前面に実質的に垂直な側面とを備え、第１のスピーカベントは、第１の内部容積とエンクロージャの前面との間に気流を提供し、第２のスピーカベントは、第１の内部容積とエンクロージャの側面との間に気流を提供する、特徴１４の再生デバイス。
【０１０５】
（特徴１６）第２のスピーカベントは、第１のスピーカベントより小さな断面を有し、第２のスピーカベントは、第１のスピーカベントより高速の気流を提供する、特徴１５の再生デバイス。
【０１０６】
（特徴１７）前面は、第１のスピーカベントとエンクロージャの外部との間に第１のスピーカグリルを備え、側面は、第１のスピーカベントとエンクロージャの外部との間に第２のスピーカグリルを備える、特徴１５の再生デバイス。
【０１０７】
（特徴１８）第１のスピーカグリルは、エンクロージャの前面に第１の穿孔を備え、第２のスピーカグリルは、エンクロージャの側面に第２の穿孔を備え、第２の穿孔は、第１の穿孔よりも大きく、第２のスピーカグリルは、気流に対する抵抗が第１のスピーカグリルより小さい、特徴１７の再生デバイス。
【０１０８】
（特徴１９）エンクロージャは、前面と、前面に実質的に垂直な側面とを備え、側面は、（ｉ）第１のスピーカベントとエンクロージャの外部との間の第１のスピーカグリルと、（ｉｉ）第２のスピーカベントとエンクロージャの外部との間の第２のスピーカグリルと、を備える、特徴１４の再生デバイス。
【０１０９】
（特徴２０）第１のスピーカベントと第２のスピーカベントとは、スピーカの動作波長より短い距離だけ離れている、特徴１４の再生デバイス。
【０１１０】
（特徴２１）第１の水平方向及び第２の水平方向は、９０°乃至１８０°の範囲内で互いに相対角度をなす、特徴１４の再生デバイス。
【０１１１】
（特徴２２）スピーカは、少なくとも低音周波数帯域で動作するウーハである、特徴１４の再生デバイス。
【０１１２】
（特徴２３）再生デバイスは、更に、少なくとも２０００乃至２００００Ｈｚの周波数帯域で動作する、エンクロージャの前面に沿って外側を向いた１つ又は複数のツイータを備える、特徴１４の再生デバイス。
【０１１３】
（特徴２４）第１の水平方向は、第２の水平方向と同じである、特徴１４の再生デバイス。
【０１１４】
（特徴２５）更に、第２の内部容積をエンクロージャの外部に結合するスピーカポートチューブを備える、特徴１４の再生デバイス。
【０１１５】
（特徴２６）（ｉ）第１の内部容積と第２の内部容積とを備えるエンクロージャと、（ｉｉ）エンクロージャの内部に取り付けられ、第１の内部容積と第２の内部容積とを分割する振動板を有し、音声を発生させるために軸線に沿って移動可能なスピーカと、（ｉｉｉ）第１の内部容積とエンクロージャの外部との間に気流を提供し、軸線に実質的に垂直な第１の方向に気流を向ける第１のスピーカベントと、（ｉｖ）第１の内部容積とエンクロージャの外部との間に気流を提供し、軸線に実質的に垂直な第２の方向に気流を向ける第２のスピーカベントと、を備える再生デバイス。
【０１１６】
（特徴２７）エンクロージャは、前面と、前面に実質的に垂直な側面とを備え、第１のスピーカベントは、第１の内部容積とエンクロージャの前面との間に気流を提供し、第２のスピーカベントは、第１の内部容積とエンクロージャの側面との間に気流を提供する、特徴２６の再生デバイス。
【０１１７】
（特徴２８）第２のスピーカベントは、第１のスピーカベントより小さな断面を有し、第２のスピーカベントは、第１のスピーカベントより高速の気流を提供する、特徴２７の再生デバイス。
【０１１８】
（特徴２９）前面は、第１のスピーカベントとエンクロージャの外部との間に第１のスピーカグリルを備え、側面は、第１のスピーカベントとエンクロージャの外部との間に第２のスピーカグリルを備える、特徴２７の再生デバイス。
【０１１９】
（特徴３０）第１のスピーカグリルは、エンクロージャの前面に第１の穿孔を備え、第２のスピーカグリルは、エンクロージャの側面に第２の穿孔を備え、第２の穿孔は、第１の穿孔よりも大きく、第２のスピーカグリルは、気流に対する抵抗が第１のスピーカグリルより小さい、特徴２９の再生デバイス。
【０１２０】
（特徴３１）エンクロージャは、前面と、前面に実質的に垂直な側面とを備え、側面は、（ｉ）第１のスピーカベントとエンクロージャの外部との間の第１のスピーカグリルと、（ｉｉ）第２のスピーカベントとエンクロージャの外部との間の第２のスピーカグリルと、を備える、特徴２６の再生デバイス。
【０１２１】
（特徴３２）第１のスピーカベントと第２のスピーカベントとは、スピーカの動作波長より短い距離だけ離れている、特徴２６の再生デバイス。
【０１２２】
（特徴３３）第１の方向は、第２の方向と同じである、特徴２６の再生デバイス。
【０１２３】
本明細書は、例示的な環境、システム、手順、ステップ、論理ブロック、処理、および他のシンボル表現に関して広く示されており、それらは直接又は間接的にネットワークに接続されるデータ処理デバイスの動作に類似するものである。これらの処理説明および表現は、一般的に当業者によって使用され、それらの仕事の内容を他の当業者に最も効率良く伝えることができる。多くの具体的な内容が、本開示を理解するために提供されている。しかしながら、当業者にとって、本開示の特定の実施形態が特定の、具体的な詳細なしに実施され得ることは理解される。他の例では、周知の方法、手順、コンポーネント、および回路が、実施形態を不必要に曖昧にすることを避けるため、詳細に説明していない。したがって、本開示の範囲は、上記した実施形態よりむしろ添付された特許請求の範囲によって定義される。
【０１２４】
添付の特許請求の範囲のいずれかが単にソフトウェア及び／又はファームウェアへの実装をカバーするように読み取ると、少なくとも１つの例における要素の１つ又は複数は、本明細書では、ソフトウェア及び／又はファームウェアを記憶する有形の非一時的な記憶媒体、例えば、メモリ、ＤＶＤ、ＣＤ、Ｂｌｕ−ｒａｙ（登録商標）等を含むことが明確に定められている。
【図１】
0006793842.tif 000002
【図２】
0006793842.tif 000003
【図３】
0006793842.tif 000004
【図４】
0006793842.tif 000005
【図５Ａ】
0006793842.tif 000006
【図５Ｂ】
0006793842.tif 000007
【図５Ｃ】
0006793842.tif 000008
【図６Ａ】
0006793842.tif 000009
【図６Ｂ】
0006793842.tif 000010
【図７】
0006793842.tif 000011
【図８】
0006793842.tif 000012